(57)【特許請求の範囲】
【請求項１】
複数のディスプレイと、
前記ディスプレイのそれぞれに対応して設けられた物理操作子と、
前記ディスプレイのそれぞれに、複数の信号処理チャンネルの情報を表示するベース画面を表示し、且つ、前記物理操作子のそれぞれに、対応するディスプレイに表示されたベース画面内の情報を割り当てる第１ベース画面表示手段と、
前記複数のディスプレイのうちの１つにおいて、そのディスプレイで表示中の前記ベース画面に含まれる１つの信号処理チャンネルの情報に関するポップアップ画面を表示させる指示を行うポップアップ画面表示指示手段と、
前記ポップアップ画面表示指示手段による表示指示に応じて、前記ポップアップ画面を表示すべき第１ディスプレイを決定して、決定された第１ディスプレイの前面に、前記表示指示されたポップアップ画面を表示し、且つ、前記第１ディスプレイに対応する物理操作子に、前記表示されたポップアップ画面内の情報を割り当てる第１ポップアップ画面表示手段と、
前記第１ディスプレイに表示中の前記ポップアップ画面を別のディスプレイに移動させる指示を行うポップアップ画面移動指示手段と、
前記ポップアップ画面移動指示手段による移動指示に応じて、前記ポップアップ画面の移動先となる第２ディスプレイを決定して、決定された第２ディスプレイに前記移動指示されたポップアップ画面を表示し、且つ、前記第２ディスプレイに対応する物理操作子に、前記表示されたポップアップ画面内の情報を割り当てる第２ポップアップ画面表示手段と、
前記ポップアップ画面移動指示手段による移動指示に応じて、前記第１ディスプレイのポップアップ画面を消して前記ベース画面を前面に表示させ、且つ、該第１ディスプレイに対応する物理操作子に、前記表示されたベース画面内の情報を割り当てる第２ベース画面表示手段
を備えることを特徴とする音響調整卓。
【発明の詳細な説明】
【技術分野】
【０００１】
本発明は、複数チャンネルのオーディオ信号に対する信号処理に関する操作を行う音響調整卓に関し、詳しくは、信号処理に用いるパラメータを調整するための技術に関する。
【背景技術】
【０００２】
従来から知られるデジタルオーディオミキサにおいて、コンソール（操作卓）にディスプレイを配置し、ディスプレイには複数のチャンネル分の情報を表示するベース画面を表示するものがあった。ミキサのオペレータは、ベース画面の情報を参照することで、複数チャンネル間のバランスを確認しながら、各チャンネルのパラメータの値を調整できた。また、ベース画面の上に、特定の機能について詳細にパラメータを表示するポップアップ画面を表示することができた。ミキサのオペレータは、ポップアップ画面を用いて、１つのチャンネルに関する特定機能を詳細に調整できた（例えば下記特許文献１を参照）。
【先行技術文献】
【特許文献】
【０００３】
【特許文献１】特開２００７‐０７４６２３号公報
【発明の概要】
【発明が解決しようとする課題】
【０００４】
ポップアップ画面を用いてパラメータを調整する場合も、調整対象のチャンネルに関する調整対象の機能のパラメータを見るだけではなく、他の複数のチャンネルとのバランスも確認したい、という要望があった。この点に対して、従来は、１つのベース画面に表示された複数のチャンネルのうち、何れかの１つのチャンネルに関するポップアップ画面しか表示できなかった。また、ポップアップ画面は、ベース画面上に重ねて表示されていたので、ポップアップ画面でパラメータを調整するときにはベース画面の一部が隠れていた。このため、例えば、ポップアップ画面でパラメータを調整するときには、そのポップアップ画面を閉じてベース画面でチャンネル間のバランスを確認してから、再びポップアップ画面を開いてパラメータを調整するという手間をかけなければならず、パラメータ調整作業が煩雑になってしまうという不都合があった。また、パラメータの値を適切に調整できず調整ミスしてしまう危険性もあった。すなわち、従来の技術では、ポップアップ画面を表示した状態では、複数チャンネル間のバランスを確認しながらパラメータを調整することが困難だった。
【０００５】
この発明は、上記の点に鑑みてなされたもので、ベース画面で複数のチャンネル間のバランスを確認しながら、ポップアップ画面でパラメータを調整する作業を、簡単且つ正確に行えるようにした音響調整卓を提供することを目的とする。
【課題を解決するための手段】
【０００６】
この発明は、複数のディスプレイと、前記ディスプレイのそれぞれに対応して設けられた物理操作子と、前記ディスプレイのそれぞれに、複数の信号処理チャンネルの情報を表示するベース画面を表示し、且つ、前記物理操作子のそれぞれに、対応するディスプレイに表示されたベース画面内の情報を割り当てる第１ベース画面表示手段と、前記複数のディスプレイのうちの１つにおいて、そのディスプレイで表示中の前記ベース画面に含まれる１つの信号処理チャンネルの情報に関するポップアップ画面を表示させる指示を行うポップアップ画面表示指示手段と、前記ポップアップ画面表示指示手段による表示指示に応じて、前記ポップアップ画面を表示すべき第１ディスプレイを決定して、決定された第１ディスプレイの前面に、前記表示指示されたポップアップ画面を表示し、且つ、前記第１ディスプレイに対応する物理操作子に、前記表示されたポップアップ画面内の情報を割り当てる第１ポップアップ画面表示手段と、前記第１ディスプレイに表示中の前記ポップアップ画面を別のディスプレイに移動させる指示を行うポップアップ画面移動指示手段と、前記ポップアップ画面移動指示手段による移動指示に応じて、前記ポップアップ画面の移動先となる第２ディスプレイを決定して、決定された第２ディスプレイに前記移動指示されたポップアップ画面を表示し、且つ、前記第２ディスプレイに対応する物理操作子に、前記表示されたポップアップ画面内の情報を割り当てる第２ポップアップ画面表示手段と、前記ポップアップ画面移動指示手段による移動指示に応じて、前記第１ディスプレイのポップアップ画面を消して前記ベース画面を前面に表示させ、且つ、該第１ディスプレイに対応する物理操作子に、前記表示されたベース画面内の情報を割り当てる第２ベース画面表示手段を備えることを特徴とする音響調整卓である。
【発明の効果】
【０００７】
本発明によれば表示中のポップアップ画面を他のディスプレイに移動させるという簡単な操作のみで、或る信号処理ｃｈについて、そのｃｈを含む複数の信号処理ｃｈの主要なパラメータと、そのｃｈの特定機能の詳細なパラメータとを同時に表示して同時に調整できる状態を迅速かつ正確につくりだせる、という優れた効果を奏する。
【図面の簡単な説明】
【０００８】
【図１】本発明に係る音響調整卓の一実施形態であるデジタルオーディオミキサの構成例を示すブロック図。
【図２】図１のデジタルオーディオミキサにおける信号処理構成を説明するブロック図。
【図３】図１のデジタルオーディオミキサのコンソール（操作パネル）構成例を説明する図。
【図４】ディスプレイに表示されたベース画面を説明する図。
【図５】ディスプレイに表示されたポップアップ画面を説明する図。
【図６】ポップアップ画面起動処理の手順を説明するフローチャート。
【図７】ポップアップ画面移動処理の手順を説明するフローチャート。
【発明を実施するための形態】
【０００９】
以下に、本発明に係る音響調整卓の一実施形態であるデジタルオーディオミキサについて、添付図面を参照して、説明する。
【００１０】
図１は、この発明に係る音響調整卓を適用したデジタルオーディオミキサ（「デジタルミキサ」又は、単に「ミキサ」とも言う）のハードウェア構成を示すブロック図である。デジタルミキサ１は、ＣＰＵ（Central Processing Unit、中央処理装置）１０、フラッシュメモリ１１、ＲＡＭ（Random Access Memory、ランダムアクセスメモリ）１２、波形入出力インターフェース（波形Ｉ／Ｏ）１３、信号処理部（ＤＳＰ（Digital Signal Processing）部）１４、操作子１５、電動フェーダ１６、表示器１７、及び、その他Ｉ／Ｏ１８を備え、各構成要素がバスライン１９を介して接続される。
【００１１】
ＣＰＵ１０は、フラッシュメモリ１１又はＲＡＭ１２に記憶された制御プログラムを実行して、デジタルミキサ１の全体動作を制御する。フラッシュメモリ１１は、ＣＰＵ１０が実行する各種のプログラムや各種のデータなどを格納した不揮発性メモリである。ＲＡＭ１２は、ＣＰＵ１０が実行するプログラムのロード領域やワーク領域に使用する揮発性メモリである。また、フラッシュメモリ１１には、信号処理に用いる全てのパラメータの値（現在の設定値）を記憶したカレントメモリが設けられている。
【００１２】
波形Ｉ／Ｏ１３は、オーディオ信号を入出力するためのインターフェースであって、図中の矢印で示すように、アナログオーディオ信号やデジタルオーディオ信号を外部機器から入力するための複数の入力ポート、アナログオーディオ信号やデジタルオーディオ信号を外部機器へ出力するための複数の出力ポートを含む。さらに、アナログデジタル変換（ＡＤ変換）、デジタルアナログ変換（ＤＡ変換）、及びデジタル変換（フォーマット変換）を行うための機構を含む。
【００１３】
ＤＳＰ部１４は、ＣＰＵ１０の指示に基づいて各種のマイクロプログラムを実行することにより、カレントメモリに記憶された各種のパラメータの値に基づいて、波形Ｉ／Ｏ１３経由で外部機器から入力されたオーディオ信号に対するデジタル信号処理を行い、処理後のオーディオ信号を波形Ｉ／Ｏ１３経由で外部機器へ出力する。ＤＳＰ部１４が実行する信号処理は、ミキシング処理、効果付与処理及び音量レベル制御処理等である。
【００１４】
表示器１７、電動フェーダ１６、及び操作子１５は、ミキサ１の操作卓（コンソール）の操作パネル上に設けられたユーザインターフェースである。表示器１７は、表示パネルに対するタッチ操作による入力が可能なタッチパネル式ディスプレイにより構成され、ＣＰＵ１０からバス１９を介して与えられた表示制御信号に基づいて各種画面を表示できる。操作子１５は、後述するノブ操作子等を含む操作パネル上に配置された操作子群である。電動フェーダ１６は、フェーダ型の操作子であり、オペレータが操作できるとともに、ＣＰＵ１０から与えられる駆動制御信号に基づいて操作位置が自動制御される。ＣＵＰ１０は、操作子１５、電動フェーダ１６及びタッチパネル式ディスプレイ１７の操作を受けて、パラメータの値を調整する。本明細書において「パラメータの値を調整する」とは、カレントメモリに記憶されている当該操作に該当するパラメータの値を、当該操作に応じた値へ変更し、変更後の値をＤＳＰ部１４や表示器１７へ反映することである。その他Ｉ／Ｏ１８は、例えばＵＳＢ（Universal Serial Bus）端子のような、他の周辺機器と接続するための汎用インターフェースである。
【００１５】
図２は、図１のミキサ１におけるオーディオ信号に対する信号処理の構成を説明するブロック図である。図２に示す各部の動作は、ＣＰＵ１０の処理及びＤＳＰ部１４が実行するマイクロプログラムの処理により実現される。アナログ入力部（Ａ入力）２０及びデジタル入力部（Ｄ入力）２１は、波形Ｉ／Ｏ１３のオーディオ信号入力機能（主に、ＡＤ変換、フォーマット変換、複数の入力ポート）に相当する。
【００１６】
入力パッチ部２２は、オペレータの指定に基づいて、Ａ入力２０とＤ入力２１の各入力ポートを、後段の入力チャンネル部２３のいずれかの入力ｃｈへ割り当てる。なお、本明細書では「チャンネル」という文言を「ｃｈ」と表記することがある。
【００１７】
入力ｃｈ部２３は、４８個の入力ｃｈを持つ。各入力ｃｈは、割り当てられている入力ポートから入力されるオーディオ信号に対して、カレントメモリの値に基づき、ヘッドアンプゲイン、アッテネータ、ディレイ、フェーズ切り替え、ＥＱ（イコライザ）、コンプレッサ、音量レベル、チャンネルオン・オフ、後段のＭＩＸバス２４へのセンドレベル、及びパン等の各種の信号処理を行い、信号処理後のオーディオ信号を後段のＭＩＸバス２４のうちの任意の１又は複数のバスへ出力する。
【００１８】
２４本あるＭＩＸバス２４のそれぞれは、入力ｃｈ部２３から供給されたオーディオ信号をミキシングし、ミキシング後のオーディオ信号を後段のＭＩＸ出力ｃｈ部２５へ出力する。
【００１９】
ＭＩＸ出力ｃｈ部２５は、２４本のＭＩＸバス２４のそれぞれに対応する２４個のＭＩＸ出力ｃｈを持つ。各ＭＩＸ出力ｃｈは、対応するＭＩＸバス２４から入力されるオーディオ信号に対して、カレントメモリの値に基づき、ＥＱ、コンプレッサ、音量レベル、及びチャンネルオン・オフ等の各種の信号処理を行い、信号処理後のオーディオ信号を後段の出力パッチ部２６へ出力する。
【００２０】
出力パッチ部２６は、オペレータの指定に基づいて、ＭＩＸ出力ｃｈ部２５の各ＭＩＸ出力ｃｈをアナログ出力部（Ａ出力）２７とデジタル出力部（Ｄ出力）２８の各出力ポートのいずれかへ割り当てる。これにより、ＭＩＸ出力ｃｈが出力するオーディオ信号は割り当てられた出力ポートから出力される。なお、Ａ出力２７及びＤ出力２８は、波形Ｉ／Ｏ１３のオーディオ信号出力機能（主に、ＤＡ変換、フォーマット変換、複数の出力ポート）に相当する。
【００２１】
図３はミキサ１の操作パネルの構成例であり、複数のディスプレイ３０，３１と、複数のｃｈストリップグループ３２〜３５と、セレクテッドｃｈ画面ディスプレイ３６と、セレクテッドｃｈ操作子部３７が設けられている（図１の操作子１５、電動フェーダ１６、表示器１７に相当）。各ｃｈストリップグループ３２〜３５は、それぞれ、複数本（図では８本）ｃｈストリップ３８を１組とするグループである。各ｃｈストリップ３８には、当該ｃｈストリップ３８の操作対象となる信号処理ｃｈ（入力ｃｈやＭＩＸ出力ｃｈ）が割り当てられる。当該割当は周知の技術を用いて行うものとする。
【００２２】
１つのｃｈストリップ３８には、１つの電動フェーダ１６及び１つのノブ操作子３９を含む複数の物理操作子が設けられている。オペレータは、ｃｈストリップ３８に設けられた電動フェーダ１６を用いて、そのｃｈストリップに割り当てられた信号処理ｃｈの音量レベルを調整できる。さらに、ｃｈストリップ３８に設けられたノブ操作子３９を用いて、そのｃｈストリップに割り当てられた信号処理ｃｈにおける各種のパラメータのうち、そのノブ操作子３９に割り当てられているパラメータの値を調整できる。また、電動フェーダ１６及びノブ操作子３９以外の他の物理操作子についても同様に、当該ｃｈストリップに割り当てられた信号処理ｃｈにおける各種のパラメータのうち、物理操作子ごとに割り当てられているパラメータの値を調整できる。
【００２３】
２つのディスプレイ３０，３１は、図１の表示器１７に対応するもので、それぞれ、物理的に独立した表示パネルにより構成される。各ディスプレイ３０，３１には、後述するベース画面４０及びポップアップ画面４１など、各種の情報が表示される。各ディスプレイ３０，３１に表示された各種のパラメータの値を調整するための操作子として、第１〜第４のｃｈストリップグループ３２〜３５のうち、第１ディスプレイ３０にはその近傍に配置された第１ｃｈストリップグループ３２が対応付けられており、第２ディスプレイ３１にはその近傍に配置された第２ｃｈストリップグループ３３が対応付けられている。なお、物理的に１つの表示パネル内に複数の独立した領域を設けて、各領域を第１ディスプレイ３０及び第２ディスプレイ３１とする構成を採用してもよい。
【００２４】
セレクテッドｃｈ画面ディスプレイ３６は、セレクテッドｃｈ画面を表示するためのディスプレイであり、第１ディスプレイ３０及び第２ディスプレイ３１とは物理的に独立したものとする。セレクテッドｃｈ画面ディスプレイ３６には、複数の信号処理ｃｈの中から選択された１つのｃｈ（セレクテッドｃｈ）に関する複数のパラメータが表示される。セレクテッドｃｈ操作子部３７には、セレクテッドｃｈ画面ディスプレイ３６に呼び出されたセレクテッドｃｈに関する複数のパラメータの値を調整するための操作子群が配置されている。
【００２５】
第１ディスプレイ３０及び第２ディスプレイ３１のそれぞれにおいて、ポップアップ画面が表示される前に表示されている画面（ポップアップ画面とは異なる画面）がベース画面４０であり、典型的には、ミキサ１の起動直後から表示されるメイン画面である。本実施例ではメイン画面をベース画面４０として説明する。
【００２６】
図４はメイン画面（ベース画面４０）の構成例である。ディスプレイ１つ分の画面であり、当該ディスプレイに対応するｃｈストリップグループに属する８本のｃｈストリップ３８に対応する８つのｃｈストリップ領域４２が設けられている。各ｃｈストリップ領域４２には、それぞれ対応するｃｈストリップ３８に割り当てられた信号処理ｃｈのパラメータのうちの主要な一部のみが表示される。また、各ｃｈストリップ領域４２の表示位置は、それぞれ対応するｃｈストリップ３８と縦一列に並ぶ位置に設定される。ベース画面４０の表示サイズは、ディスプレイの表示パネル全面と略同じサイズ（表示領域全体を使う表示サイズ）である。
【００２７】
ミキサ１の電源投入時には初期設定として、第２ｃｈストリップグループ３３のｃｈストリップ３８には左から順に入力ｃｈ１〜８が操作対象として割り当てられ、第２ディスプレイ３１には入力ｃｈ１〜８の情報がそれぞれ表示された８つのｃｈストリップ領域４２から成るベース画面４０が表示され、第１ｃｈストリップグループ３２のｃｈストリップ３８には左から順に入力ｃｈ９〜１６が操作対象として割り当てられ、第１ディスプレイ３０のベース画面４０には入力ｃｈ９〜１６の情報がそれぞれ表示された８つのｃｈストリップ領域４２から成るベース画面４０が表示される。この時点では、ディスプレイ３０，３１にはベース画面４０のみが表示され、ポップアップ画面４１は表示されない。オペレータが、第１ｃｈストリップグループ３２（あるいは第２ｃｈストリップグループ３３）に対する信号処理ｃｈの割り当てを変更すると、ＣＰＵ１０は、第１ｃｈストリップグループ３２（あるいは第２ｃｈストリップグループ３３）の各ｃｈストリップ３８に新たな８つの信号処理ｃｈを割り当てるとともに、第１ｃｈストリップグループ３２に対応する第１ディスプレイ３０（あるいは第２ｃｈストリップグループ３３に対応する第２ディスプレイ３１）に表示されているベース画面４０の表示内容を、新たに割り当てられた８つの信号処理ｃｈに関する情報に変更する。オペレータは、ベース画面４０とｃｈストリップグループ３２，３３を用いて、複数の信号処理ｃｈ間のバランスを見ながら、各ｃｈストリップに割り当てられている信号処理ｃｈの主要なパラメータの値を調整できる。
【００２８】
図４において、各ｃｈストリップ領域４２に設けられた複数のＧＵＩ画像（丸パーツ）４３は、その丸パーツ４３が属するｃｈストリップ領域４２に対応するｃｈストリップ３８に割り当てられている信号処理ｃｈのパラメータの値を表示するものであり、複数の丸パーツ４３はそれぞれ異なるパラメータを対象としている。また、当該丸パーツ４３はパラメータ選択スイッチとしても動作し、オペレータによっていずれかの丸パーツ４３がタッチ操作されると、当該操作された丸パーツ４３が対象としているパラメータを、当該丸パーツ４３の属するｃｈストリップ領域４２に対応するｃｈストリップ３８に設けられたノブ操作子３９に、操作対象のパラメータとして割り当てる。
【００２９】
各ｃｈストリップ領域４２の上段部（図において網掛け表示で示した部分）の四角マスの１つずつは、ポップアップ画面の表示を指示するためのタッチスイッチ（ポップアップスイッチ）４４を表している。各領域４２に設けられた３つのポップアップスイッチ４４にはそれぞれ異なる機能（イコライザ，ヘッドアンプ，コンプレッサなど）が対応付けられている。
【００３０】
図６は、ポップアップ画面の表示処理の手順を説明するフローチャートである。ポップアップ画面の表示が指示されたとき、すなわち、オペレータがポップアップスイッチ４４のいずれか１つに対するタッチ操作を行ったとき、ＣＰＵ１０は、図６に示す処理を起動する。
【００３１】
ステップＳ１において、ＣＰＵ１０は、タッチ操作が行われた１つのディスプレイ（第１ディスプレイ３０又は第２ディスプレイ３１）を今回ポップアップ画面を表示するディスプレイ（表示ディスプレイ）として決定し、且つ、そのディスプレイ上のタッチされた位置に基づいて、タッチ操作された１つのポップアップスイッチ４４を特定する。また、特定されたポップアップスイッチ４４に対応つけられている機能を今回の対象機能として決定し、特定されたポップアップスイッチ４４が属するｃｈストリップ領域４２に対応するｃｈストリップ３８に割り当てられている信号処理ｃｈを今回の対象ｃｈとして決定する。
【００３２】
ステップＳ２において、ＣＰＵ１０は、ステップＳ１で決定された表示ディスプレイに表示されているベース画面４０の動作を無効化する。具体的には、当該ベース画面４０の各種制御機能（ＧＵＩ部品に対するタッチ操作を受け付けるタッチ機能等）が働かないようにし、且つ、当該ベース画面４０の表示態様を通常の表示から無効状態を示す表示（例えばグレイアウト表示）に切り替える。
【００３３】
ステップＳ３において、ＣＰＵ１０は、前記ステップＳ１で決定された対象機能及び対象ｃｈを処理対象とするポップアップ画面４１を、前記表示ディスプレイに表示する。当該ポップアップ画面４１は、前記決定された対象ｃｈの、前記決定された対象機能における各種のパラメータの値を表示したものであり、いわゆるポップアップ表示の手法により、表示ディスプレイに無効状態の態様で表示されているベース画面４０の上に重ねて表示される。そのため、ポップアップ画面４１の表示中はベース画面４０の表示内容の少なくとも一部がポップアップ画面４１の下に隠れる。
【００３４】
図５はポップアップ画面４１の一構成例である。ポップアップ画面４１とはディスプレイ上に一時的に表示される画面であり、本実施例においては、或る対象ｃｈにおける、或る対象機能に関する詳細な情報（当該機能に含まれているすべてのパラメータの値）を表示し、当該表示されたパラメータの値を調整するための画面である。なお、対象機能には、イコライザ，ヘッドアンプ，コンプレッサなどの機能があり、対象機能となる各機能は複数のパラメータを含んでいる。
図５に示すように、ポップアップ画面４１には、少なくとも、当該ポップアップ画面４１の移動を指示するための移動スイッチ４６と、複数のＧＵＩ画像（丸パーツ）４５が配置される。各丸パーツ４５は、当該ポップアップ画面４１の対象ｃｈの対象機能に含まれているパラメータのうちのいずれか１つのパラメータを処理対象とし、その値を表示する。また、各丸パーツ４５には、当該ポップアップ画面４１が表示されているディスプレイに対応するｃｈストリップグループにおけるノブ操作子３９のいずれか１つが対応付けられており、当該対応つけられているノブ操作子３９を操作することにより、当該丸パーツ４５が処理対象としているパラメータの値を調整することができる。
なお、ポップアップ画面に表示される情報の内容や表示方法は対象ｃｈや対象機能に応じて異なる。また、ポップアップ画面の表示サイズは、横幅が固定サイズ（ベース画面４０と略同じ横幅）とし、機能毎に、つまり、表示すべき情報の量に応じて高さが可変するものとする。ディプレイ上での表示位置は、対応する各ノブ操作子３９との対応付けがとれる所定の位置で固定されており、オペレータが表示位置を変更することはできない。
【００３５】
図６に戻り、ステップＳ３では、さらに、表示したポップアップ画面を動作可能な状態に設定する。具体的には、当該ポップアップ画面の各種制御機能（ＧＵＩ部品に対するタッチ操作を受け付けるタッチ機能等）が働くように設定するとともに、当該ポップアップ画面に配置されている丸パーツ４５それぞれについて、当該ポップアップ画面が表示されている表示ディスプレイに対応するｃｈストリップグループ内から対応するノブ操作子３９を特定し、当該特定したノブ操作子３９の操作対象として、当該対応する丸パーツ４５が処理対象としているパラメータを割り当てる（当該特定したノブ操作子３９に割り当てられているパラメータを変更する）。これにより、ポップアップ画面が表示されている表示ディスプレイに対応するｃｈストリップグループ内のノブ操作子３９を使って、当該ポップアップ画面に表示されている各種のパラメータの値を調整できるようになる。なお、丸パーツ４５とノブ操作子３９の対応関係は予め規定されている。
ここでは、ポップアップ画面で利用される操作子（本実施例ではノブ操作子３９）のみ、割り当てられているパラメータを変更し、表示ディスプレイに対応するｃｈストリップグループ内の操作子のうちのポップアップ画面で利用されない操作子（本実施例ではノブ操作子３９以外の操作子）については、割り当てられているパラメータを変更せず、それまでに割り当てられていたパラメータを継続する。なお、前記のポップアップ画面で利用されない操作子については、それまでに割り当てられていたパラメータをはずして、なんらのパラメータも割り当てられていない状態とし、ポップアップ画面の表示中はそれらの操作子が操作されてもなんらの処理も実行しない構成を採用してもよい。
【００３６】
図７は、表示中のポップアップ画面を現在表示中のディスプレイから他のディスプレイへ移動することが指示されたとき、すなわち、表示中のポップアップ画面内に配置されている移動スイッチ４６のタッチ操作が行われたときに、ＣＰＵ１０が実行する処理を説明するフローチャートである。ステップＳ４において、ＣＰＵ１０は、ポップアップ画面の移動先となるディスプレイを決定する。本実施例では、操作パネルに２つのディスプレイ３０、３１が設けられているので、移動対象のポップアップ画面（今回タッチ操作された移動スイッチ４６を含むポップアップ画面）が表示されているディスプレイを移動元ディスプレイとし、当該移動元ディスプレイではないもう一方のディスプレイを移動先ディスプレイとして決定する。例えば、第１ディスプレイ３０にタッチ操作されたポップアップ画面４１を表示中の場合は、第１ディスプレイ３０が移動元ディスプレイ、第２ディスプレイ３１が移動先ディスプレイである。
【００３７】
ステップＳ５において、ＣＰＵ１０は、移動先ディスプレイに、既に他のポップアップ画面４１が表示中かどうかを調べる。１つのディスプレイには１つのポップアップ画面４１しか表示させない。移動先ディスプレイに他のポップアップ画面４１が表示されていない場合（ステップＳ５の「表示なし」）には、ＣＰＵ１０は処理をステップＳ８に進める。
【００３８】
移動先ディスプレイに他のポップアップ画面４１が表示されている場合（ステップＳ５の「表示中」）、ステップＳ６において、ＣＰＵ１０は、移動先ディスプレイに表示中の他のポップアップ画面４１を消すかどうか、つまり、当該他のポップアップ画面４１を消した上で移動対象のポップアップ画面を移動先ディスプレイへ移動するかどうかをオペレータに選択させる画面を、移動元ディスプレイに表示し、オペレータの選択を受け付ける。他のポップアップ画面を消して移動対象のポップアップ画面を移動先ディスプレイへ移動することが選択された場合（ステップＳ６のＹＥＳ）、ステップＳ７において、ＣＰＵ１０は、移動先ディスプレイに表示中の他のポップアップ画面を消し、移動先ディスプレイのベース画面４０のグレイアウト表示を終了して通常の表示態様に戻し（各種制御機能を働くようにし）、当該ベース画面４０のみを動作可能な状態で移動先ディスプレイに表示する。さらに、移動先ディスプレイに対応するｃｈストリップグループ内のノブ操作子３９に割り当てられている操作対象のパラメータを、それまで割り当てられていた他のポップアップ画面に対応するパラメータから、当該ベース画面４０に対応するパラメータへ変更してから、処理をステップＳ８に進める。なお、本ステップＳ７の処理により、移動先ディスプレイではベース画面４０が操作可能な状態となり、当該ベース画面４０を用いたパラメータの値の調整や、新たなポップアップ画面の表示を行えるようになる。
他のポップアップ画面を消さないで移動対象のポップアップ画面の移動を中止する場合（ステップＳ６のＮＯ）、ＣＰＵ１０は、ポップアップ画面の移動処理を行わずに、図７の処理を終了する。なお、ステップＳ６の処理を割愛し、ユーザの確認を取ることなく、移動先ディスプレイの他のポップアップ画面を強制的に消してステップＳ７へ進む構成、あるいは、移動先ディスプレイに他のポップアップ画面がある場合は今回のポップアップ画面の移動処理を強制的に終了する構成を採用することもできる。
【００３９】
ステップＳ８において、ＣＰＵ１０は、移動先ディスプレイに表示されているベース画面４０の動作を無効化する。本ステップＳ８の処理は前述した図６のステップＳ２と同様の処理であるため、ここでは詳細な説明を割愛する（ステップＳ２の処理における「表示ディスプレイ」をステップＳ８においては「移動先ディスプレイ」に置き換えて処理を実行する）。
【００４０】
ステップＳ９において、ＣＰＵ１０は、移動先ディスプレイに移動対象のポップアップ画面４１を表示して、表示されたポップアップ画面４１を動作可能な状態に設定する。本ステップＳ９の処理は前述した図６のステップＳ３と同様の処理であるため、ここでは詳細な説明を割愛する（ステップＳ３の処理における「表示ディスプレイ」をステップＳ９においては「移動先ディスプレイ」に置き換え、さらに、ステップＳ３の処理における「ポップアップ画面４１」をステップＳ９においては「移動対象のポップアップ画面４１」に置き換えて処理を実行する）。なお、本ステップＳ９の処理において移動先ディスプレイに表示する移動対象のポップアップ画面は、移動元ディスプレイに表示されていたポップアップ画面と同等のものとする（移動後のポップアップ画面は移動前のポップアップ画面の対象ｃｈ、対象機能、表示内容を引き継ぎ、移動前後でポップアップ画面の対象ｃｈ、対象機能、表示内容を変更せず継続する）。
【００４１】
ステップＳ１０において、ＣＰＵ１０は、移動元ディスプレイに表示中の移動対象のポップアップ画面を消す。本ステップＳ１０の処理は前述した図７のステップＳ７と同様の処理であるため、ここでは詳細な説明を割愛する（ステップＳ７の処理における「他のポップアップ画面」をステップＳ１０においては「移動対象のポップアップ画面」に置き換え、さらに、ステップＳ７の処理における「移動先ディスプレイ」をステップＳ１０においては「移動元ディスプレイ」に置き換えて処理を実行する）。
【００４２】
以上の処理により、例えば、第１ディスプレイ３０から第２ディスプレイ３１にポップアップ画面４１を移動したときは、オペレータは、第２ｃｈストリップグループ３３のノブ操作子３９を用いて、当該移動されたポップアップ画面４１のパラメータの値を調整できるようになる。同時に、移動元の第１ディスプレイ３０は、ポップアップ画面４１の移動後、ベース画面４０が通常の表示状態に復帰するため、オペレータは、移動元ディスプレイのベース画面４０を操作したり、当該ベース画面４０に新たなポップアップ画面を表示させることができるようになる。
【００４３】
このように、表示中のポップアップ画面を他のディスプレイへ移動させるという簡単な操作のみで、或る信号処理ｃｈを対象とするベース画面とポップアップ画面を同時に表示して同時に調整できる状態、つまり、或る信号処理ｃｈについて、そのｃｈを含む複数の信号処理ｃｈの主要なパラメータと、そのｃｈの特定機能の詳細なパラメータとを同時に表示して同時に調整できる状態を迅速かつ正確につくりだせる、という優れた効果を奏する。
【００４４】
なお、ポップアップ画面４１は閉スイッチを持ち、当該閉スイッチが操作されると図７ステップＳ７に相当する処理が実行さる。つまり、当該ポップアップ画面が消えてベース画面が復帰する。この場合、当該ポップアップ画面が他のディスプレイへ移動されることはない。
なお、ディスプレイの数を２つ以上とする構成を採用してもよい。ディスプレイが３つ以上ある場合、図７ステップＳ４における移動先ディスプレイの決定には、ユーザからいずれか１つのディスプレイの選択を受け付ける構成、あるいは、予め決められたルールに基づいて自動的にいずれか１つのディスプレイを選択する構成を採用するとよい。
なお、古いポップアップ画面を消さず、それを無効化（グレイアウト表示）して、その上に新しいポップアップ画面を重ねて表示する構成を採用してもよい。
なお、本発明を適用するミキサ１は、コンソール（操作パネル）、波形Ｉ／Ｏ１３、及び信号処理部１４が１つの筐体に納められて構成されるものであってもよいし、機能毎に独立した装置をネットワーク経由で接続するミキシングシステムであってもよい。また、コンソール（操作パネル）は、ディスプレイ、ｃｈストリップグループなど機能要素毎に独立しているハードウェアを組み合わせる構成であってもよい。
【符号の説明】
【００４５】
１  デジタルオーディオミキサ、１０  ＣＰＵ、１１  フラッシュメモリ、１２  ＲＡＭ、１３  波形Ｉ／Ｏ、１４  信号処理部（ＤＳＰ）、１５  操作子、１６  音量レベル調整用操作子（音量フェーダ）、１７  タッチパネル式表示器、１８  その他Ｉ／Ｏ、１９  バスライン、２０  アナログ入力部、２１  デジタル入力部、２２  入力パッチ部、２３  入力チャンネル部、２４  ＭＩＸバス、２５  ＭＩＸ出力チャンネル部、２６  出力パッチ部、２７  アナログ出力部、２８  デジタル出力部、２９  インサートエフェクタ、３０，３１  ディスプレイ、３２−３５  ｃｈストリップグループ、３６  セレクテッドチャンネル画面表示用ディスプレイ、３７  セレクテッドチャンネル操作子部、３８  ストリップ、３９  ノブ操作子、４０  ベース画面、４１  ポップアップ画面、４２  ｃｈストリップ表示領域、４３  パラメータ選択スイッチ、４４  ポップアップ画面表示指示スイッチ、４５  パラメータ選択スイッチ、４６  移動スイッチ
【図１】
0005407965.tif 000002
【図２】
0005407965.tif 000003
【図３】
0005407965.tif 000004
【図４】
0005407965.tif 000005
【図５】
0005407965.tif 000006
【図６】
0005407965.tif 000007
【図７】
0005407965.tif 000008